(57)【特許請求の範囲】
【請求項１】
設定された加工条件に従って被加工物の加工を行う放電加工機の加工条件調整装置において、
加工状態の良否を判断するため複数の信号または物理量を加工状態情報として所定周期毎に取得する加工状態情報取得部と、
前記信号または物理量の基準値を基準加工状態情報として記憶する要求加工状態記憶部と、
前記加工状態情報取得部で取得した加工状態情報と前記基準加工状態情報とを比較して加工状態の良否および加工不良の場合は加工不良の種別を判定する加工状態判定部と、
前記加工状態判定部により加工状態が加工不良と判定された場合、加工不良を解消するために実行される加工条件の調整方法として、加工条件の調整が実行される加工不良の種別の優先度、加工不良の種別に応じて調整する加工条件の設定項目の優先度、設定項目の調整値を記憶した加工条件調整方法記憶部と、
前記加工状態判定部が加工不良と判定した場合、前記加工条件調整方法に基づき前記加工条件の設定項目を調整する加工条件調整部と、
を有し、
前記調整後に加工を行い、再度、前記加工状態判定部が同じ加工不良と判定した場合には、前記設定項目の優先度に従って調整する設定項目を変更して加工条件を調整し、前記加工状態判定部が加工良好を示すまで、前記加工状態情報部による情報の取得、該加工状態判定部による判定、前記加工条件調整部による調整を繰り返し実行することを特徴とする放電加工機の加工条件調整装置。
【請求項２】
前記加工条件調整方法記憶部は、加工不良の種別および調整される加工条件の設定項目を追加可能としたことを特徴とする請求項１に記載の放電加工機の加工条件調整装置。
【請求項３】
前記加工条件調整方法記憶部は、加工不良を解消するために加工条件の調整を行う加工不良の種別の優先度、加工不良の種別に応じて調整する加工条件の設定項目の優先度、設定項目の調整値を変更可能としたことを特徴とする請求項１に記載の放電加工機の加工条件調整装置。
【発明の詳細な説明】
【技術分野】
【０００１】
本発明は放電加工における加工条件調整装置に関する。
【背景技術】
【０００２】
産業用途で用いられる加工機は、例えば工具鋼からなる金属ワークに対し、物理的、電気的、化学的に作用を加えて形状を徐々に変化させることで所望する最終形状を得るという加工プロセスを有する。その加工プロセスにおいて、一般に、加工条件と呼ばれる制御パラメータを変更することで、加工プロセスの状態を変化させることができる。  
ここで、適切な加工条件の選択が加工の成否を分けることになるが、加工要求仕様を満足させるような好条件を瞬時に選択することは実際問題として困難である。例えば、放電加工においては、加工速度が高くかつ異常な加工状態に陥らない加工条件を選択することが求められている。ここでいう加工条件は複数の制御パラメータから構成され、それぞれの制御パラメータは変化する値の中から一つ選択するように構成されている。
【０００３】
通常、放電加工機における加工条件を決定する際には、加工中に人が機械の側について、加工中の電圧や電流、短絡や断線、加工速度などの加工状態を監視し、加工結果と加工中の加工状態をもとに使用した加工条件の調整を行い、調整した加工条件を使用して再び加工を行うという作業を何度も繰り返すことで最適な加工条件を得る。  
図１３のフローチャートは、従来の加工条件の決定プロセスを示す。要求加工情報として目標とする加工状態を表す情報（断線・短絡しないこと、目標加工速度等）を登録する（ＳＡ０１）。試験加工に使用する加工条件を設定する（ＳＡ０２）。ここで、加工条件とは、加工中の加工電圧、加工速度、電流、休止時間などの設定値の組み合わせである。ＳＡ０２で設定した加工条件を使用して試験加工を開始する（ＳＡ０３）。このとき、加工終了までの間、作業者が機械の側について、加工中の加工状態を監視・記録する、あるいは、放電制御装置から出力される加工中の加工状態を自動的に記録する（ＳＡ０４）。試験加工終了（ＳＡ０５）後、加工結果と作業者が記録した、あるいは、自動的に記録された加工中の加工状態から加工の良否を判定する（ＳＡ０６）。ＳＡ０６で加工が不良と判定された場合、試験加工に使用した加工条件を調整し、この調整した加工条件を試験加工に使用する加工条件とする（ＳＡ０７）。ＳＡ０２〜ＳＡ０７を加工が良好な状態になるまで繰り返す。試験加工の加工形状としては、単純な直線および、図１４に図示されるジグザグ形状を使用する。
【０００４】
しかし、このような手法では、多大な労力がかかり、効率が悪い。これに対して、特許文献１に、加工中の加工状態を判別し、加工条件を変化させていくことで最適な加工を行う適応制御装置が開示されている。
【先行技術文献】
【特許文献】
【０００５】
【特許文献１】特開平２−１５３４７６号公報
【発明の概要】
【発明が解決しようとする課題】
【０００６】
しかし、特許文献１に開示された方法では、加工条件を常に変化させるため、例えば同じ機械で同じ加工を複数回行う場合、各加工で最適な加工を行えたとしても、加工毎の最適な加工条件にはバラつきが発生することにより、加工結果にもバラつきが発生してしまうという問題がある。  
そこで本発明は、上記従来技術の問題点に鑑み、自動的に加工状態の監視および加工中の加工状態をもとに加工条件の調整を行うことで、最適な加工条件を決定する加工条件調整装置を提供することを課題とする。
【課題を解決するための手段】
【０００７】
本願の請求項１に係る発明は、設定された加工条件に従って被加工物の加工を行う放電加工機の加工条件調整装置において、加工状態の良否を判断するため複数の信号または物理量を加工状態情報として所定周期毎に取得する加工状態情報取得部と、前記信号または物理量の基準値を基準加工状態情報として記憶する要求加工状態記憶部と、前記加工状態情報取得部で取得した加工状態情報と前記基準加工状態情報とを比較して加工状態の良否および加工不良の場合は加工不良の種別を判定する加工状態判定部と、前記加工状態判定部により加工状態が加工不良と判定された場合、加工不良を解消するために実行される加工条件の調整方法として、加工条件の調整が実行される加工不良の種別の優先度、加工不良の種別に応じて調整する加工条件の設定項目の優先度、設定項目の調整値を記憶した加工条件調整方法記憶部と、前記加工状態判定部が加工不良と判定した場合、前記加工条件調整方法に基づき前記加工条件の設定項目を調整する加工条件調整部と、を有し、前記調整後に加工を行い、再度、前記加工状態判定部が同じ加工不良と判定した場合には、前記設定項目の優先度に従って調整する設定項目を変更して加工条件を調整し、前記加工状態判定部が加工良好を示すまで、前記加工状態情報部による情報の取得、該加工状態判定部による判定、前記加工条件調整部による調整を繰り返し実行することを特徴とする放電加工機の加工条件調整装置である。  
請求項２に係る発明は、前記加工条件調整方法記憶部は、加工不良の種別および調整される加工条件の設定項目を追加可能としたことを特徴とする請求項１に記載の放電加工機の加工条件調整装置である。  
請求項３に係る発明は、前記加工条件調整方法記憶部は、加工不良を解消するために加工条件の調整を行う加工不良の種別の優先度、加工不良の種別に応じて調整する加工条件の設定項目の優先度、設定項目の調整値を変更可能としたことを特徴とする請求項１に記載の放電加工機の加工条件調整装置である。
【発明の効果】
【０００８】
本発明により、試験加工中に加工機から得られた加工状態により、加工の良否を判定し、加工中の加工状態および加工の良否判定をもとに、加工が不良な状態ならば加工条件を調整し、調整した加工条件を使用して加工が良好な状態になるまで、試験加工を自動的に繰り返すことで最良の加工条件を決定することが可能な放電加工機の加工条件調整装置を提供できる。
【図面の簡単な説明】
【０００９】
【図１】本発明の加工条件の決定プロセスを説明する図である。
【図２】加工の良否判定方法を説明する図である。
【図３】試験加工条件の調整を説明する図である。
【図４】調整方法＜１＞を説明する図である。
【図５】調整方法＜１＞において加工条件の調整方法を反映して説明する図である。
【図６】調整方法＜２＞を説明する図である。
【図７】調整方法＜２＞において加工条件の調整方法を反映して説明する図である。
【図８】調整方法＜３＞を説明する図である。
【図９】調整方法＜３＞において加工条件の調整方法を反映して説明する図である。
【図１０】調整方法＜４＞を説明する図である。
【図１１】調整方法＜４＞において加工条件の調整方法を反映して説明する図である。
【図１２】本発明の実施形態を説明するブロック図である。
【図１３】従来の加工条件の決定プロセスを説明する図である。
【図１４】試験加工の加工形状（ジグザグ形状）を説明する図である。
【発明を実施するための形態】
【００１０】
以下、本発明の実施形態を図面と共に説明する。  
＜加工条件の決定プロセス＞
図１は本発明の加工条件の決定プロセスを説明する図である。以下、各ステップに従って説明する。
●［ステップＳＢ０１］要求加工情報として目標とする加工状態を表す情報(断線、短絡がないこと、目標加工速度等)を登録する。  
●［ステップＳＢ０２］試験加工に使用する加工条件を設定する。  
●［ステップＳＢ０３］ステップＳＢ０２で設定した試験加工条件を使用して試験加工を開始する。  
●［ステップＳＢ０４］加工終了までの間、加工中の加工状態を自動的に監視する。  
●［ステップＳＢ０５］加工中の加工状態と要求加工情報の加工状態を比較・評価して加工の良否を判定する。  
●［ステップＳＢ０６］ステップＳＢ０５で加工が不良と判定した場合、試験加工に使用した加工条件を自動的に調整する。  
●［ステップＳＢ０７］放電用の電源をオフにするなどの試験加工の終了処理を行う。
【００１１】
上述したように、本発明の加工条件の決定プロセスはステップＳＢ０２〜ＳＢ０６を加工が良好な状態になるまで繰り返す。このようなプロセスを実行することで、加工が良好な状態になるまで、自動的に試験加工が繰り返され、最良の加工条件を得ることができる。
【００１２】
＜加工の良否判定＞
図２のフローチャートの各ステップに従って、加工の良否判定方法について説明する。ここでは、加工不良を示す加工状態の種類を断線・短絡の有無、加工速度とした場合を説明する。
●［ステップＳＣ０１］加工が良好となるために要求される加工状態と加工中の加工状態を比べて、断線または短絡が発生した場合（ＹＥＳの場合）、ステップＳＣ０２へ移行し、断線または短絡が発生しなかった場合（ＮＯの場合）ステップＳＣ０３へ移行する。  
●［ステップＳＣ０２］断線か否か判断し、断線の場合（ＹＥＳの場合）にはステップＳＣ０４へ移行し、断線ではない場合（ＮＯの場合）にステップＳＣ０５へ移行する。  
●［ステップＳＣ０３］断線または短絡が発生しなかった場合、加工が良好となるために要求される加工状態に対する加工中の加工状態の変動を判断する。加工中の加工速度が要求される加工速度に対して一定の許容範囲を超えている場合（ＹＥＳの場合）、ステップＳＣ０６へ移行し、一定の許容範囲を超えていない場合（ＮＯの場合）、ステップＳＣ０７へ移行する。  
●［ステップＳＣ０４］加工不良として判定値に「１」をセットし、終了する。  
●［ステップＳＣ０５］加工不良として判定値に「２」をセットし、終了する。  
●［ステップＳＣ０６］加工不良として判定値に「３」をセットし、終了する。  
●［ステップＳＣ０７］加工良好として判定値に「０」をセットし、終了する。
【００１３】
加工の良否判定において、判定値が加工不良を示す場合、試験加工に使用している加工条件の調整を行う。上述したフローチャートにおいて判定値１〜３は加工不良を示している。
【００１４】
＜加工条件の調整について＞
図３のフローチャートの各ステップに従って、加工条件の調整について説明する。
加工の良否判定の説明と同様に、加工不良を示す加工状態の種類を断線・短絡の有無、加工速度の例として説明する。
●［ステップＳＤ０１］判定値が１または２（加工が断線または短絡によるもの）か否か判断し、判定値が１または２だった場合（ＹＥＳの場合）にはステップＳＤ０２へ移行し、判定値が１でも２でもなかった場合（ＮＯの場合）にはステップＳＤ０３へ移行する。
●［ステップＳＤ０２］判定値が１であるか否か判断し、１の場合（ＹＥＳの場合）にはステップＳＤ０５へ移行し、１でない場合（ＮＯの場合）にはステップＳＤ０７へ移行する。  
●［ステップＳＤ０３］判定値が３であるか否か判断し、３の場合（ＹＥＳの場合）にはステップＳＤ０４へ移行し、３でない場合（ＮＯの場合）には処理を終了する。  
●［ステップＳＤ０４］加工中の加工速度が要求される加工速度に対して大きいか否か判断し、大きい場合（ＹＥＳの場合）にはステップＳＤ０９へ移行し、大きくない場合（ＮＯの場合）にはステップＳＤ１１へ移行する。  
●［ステップＳＤ０５］調整方法＜１＞を実行する。
●［ステップＳＤ０６］実行した調整方法を示す指標Ａの値を１にし、処理を終了する。
●［ステップＳＤ０７］調整方法＜２＞を実行する。  
●［ステップＳＤ０８］実行した調整方法を示す指標Ａの値を２にし、処理を終了する。
●［ステップＳＤ０９］調整方法＜３＞を実行する。  
●［ステップＳＤ１０］実行した調整方法を示す指標Ａの値を３にし、処理を終了する。
●［ステップＳＤ１１］調整方法＜４＞を実行する。  
●［ステップＳＤ１２］実行した調整方法を示す指標Ａの値を４にし、処理を終了する。
【００１５】
以上により、加工不良を示す加工状態の種類毎に対応する調整方法にもとづいて加工条件が調整される。
【００１６】
＜加工条件の調整方法について＞
加工条件の調整方法は、表１のような構成で加工不良を示す加工状態の種類毎に調整する加工条件の設定項目毎に、優先度と調整値の増減および調整値が設定されている。この表に従って、加工条件の設定項目の調整が行われる。表１では加工不良が単独の加工状態情報で判断される場合の例のみを記載しているが、２つの情報を組合せて加工不良の状態と判断するようにしても良い。設定項目の優先度は［１］，［２］，［３］，・・・のように表され、［１］の場合に優先度が最高となる。  
調整値の増減および調整値は、＋２、−１のように表され、調整値を増やす場合は「＋」、減らす場合は「−」となる。
【００１７】
【表１】
0005199440.tif 000002
【００１８】
ここで、加工条件の調整方法の具体例について説明する。  
調整方法＜１＞は、加工不良を示す加工状態が「断線」であった場合の加工条件の調整方法である。調整方法＜１＞をフローチャートで示すと、図４のように表される。各ステップに従って説明する。
●［ステップＳＥ０１］実行した調整方法の指標Ａの値が１か否か判断し、１の場合（ＹＥＳの場合）にはステップＳＥ０２に移行し、１でない場合（ＮＯの場合）にはステップＳＥ０３へ移行する。  
●［ステップＳＥ０２］優先度［２］の設定項目の値を増やし、処理を終了する。  
●［ステップＳＥ０３］優先度［１］の設定項目の値を減らし、処理を終了する。  
ここで、断線が発生するということは、放電１パルスのパワーが大きすぎるためであり、これを下げる必要がある。よって、表１のように放電１パルスのパワーが優先度［１］、放電１パルスの長さが優先度［２］となり、フローチャートは図５のように表される。各ステップに従って説明する。  
●［ステップＳＦ０１］実行した調整方法の指標Ａの値が１か否か判断し、１の場合（ＹＥＳの場合）にはステップＳＦ０２に移行し、１でない場合（ＮＯの場合）にはステップＳＦ０３へ移行する。  
●［ステップＳＦ０２］放電１パルスの長さを伸ばし、処理を終了する。  
●［ステップＳＦ０３］放電１パルスのパワーを減らし、処理を終了する。
【００１９】
調整方法＜２＞は、加工不良を示す加工状態が「短絡」であった場合の加工条件の調整方法である。調整方法＜２＞をフローチャートで示すと、以下の図６のようになる。  
●［ステップＳＧ０１］優先度［１］の設定項目の値を増やす。  
ここで、短絡が発生するということは、サーボ電圧が大きすぎるためなので、これを下げる必要がある。よって、表１のようにサーボ電圧が優先度［１］となり、フローチャートは図７のようになる。
●［ステップＳＨ０１］放電1パルスのパワーを減らす。
【００２０】
調整方法＜３＞は、加工不良を示す加工状態が「加工速度（加工中）＞加工速度（要求）」であった場合の加工条件の調整方法である。調整方法＜３＞をフローチャートで示すと、以下の図８のように表される。以下、図８に示されるフローチャートを各ステップに従って説明する。
●［ステップＳＪ０１］条件１を満たすか否か判断し、満たす場合（ＹＥＳの場合）にはステップＳＪ０２に移行し、満たさない場合（ＮＯの場合）にはステップＳＪ０５へ移行する。  
●［ステップＳＪ０２］実行した調整方法の指標Ａの値は３であるか否か判断し、指標Ａの値が３の場合（ＹＥＳの場合）にはステップＳＪ０３へ移行し、Ａの値が３ではない場合（ＮＯの場合）にはステップＳＪ０４へ移行する。  
●［ステップＳＪ０３］優先度［２］の設定項目の値を減らし、処理を終了する。  
●［ステップＳＪ０４］優先度［１］の設定項目の値を減らし、処理を終了する。  
●［ステップＳＪ０５］優先度［３］の設定項目の値を増やし、処理を終了する。
【００２１】
ここで、断線・短絡が発生しない状況で、加工速度（加工中）が加工速度（要求）より大きくなるということは、放電１パルスのパワーが十分に下がりきっていないためなので、これをさらに下げる必要がある。しかし、これまでの断線・短絡が発生する場合と同様に、いきなり放電１パルスのパワーを下げてしまうと、加工中の加工速度が下がりすぎてしまう可能性があるので、先ずは送り速度ゲインを減らすことで微調整を行う。
【００２２】
さらに、加工速度（加工中）が加工速度（要求）の１．５倍より小さくなったら、放電１パルスの長さを伸ばすことで調整を行う。  
よって、表１のように送り速度ゲインが優先度［１］、放電１パルスのパワーが優先度［２］、放電１パルスの長さが優先度［３］となり、フローチャートは図９のようになる。各ステップに従って説明する。
●［ステップＳＫ０１］条件１を満たすか否か判断し、満たす場合（ＹＥＳの場合）にはステップＳＫ０２に移行し、満たさない場合（ＮＯの場合）にはステップＳＫ０５へ移行する。  
●［ステップＳＫ０２］実行した調整方法の指標Ａの値は３であるか否か判断し、指標Ａの値が３の場合（ＹＥＳの場合）にはステップＳＫ０３へ移行し、指標Ａの値が３ではない場合（ＮＯの場合）にはステップＳＫ０４へ移行する。  
●［ステップＳＫ０３］放電１パルスのパワーを減らし、処理を終了する。  
●［ステップＳＫ０４］送り速度ゲインを減らし、処理を終了する。  
●［ステップＳＫ０５］放電１パルスの長さを伸ばし、処理を終了する。
【００２３】
調整方法＜４＞は、加工不良を示す加工状態が「加工速度(加工中)＜加工速度(要求)」であった場合の加工条件の調整方法である。調整方法＜４＞をフローチャートで示すと、以下の図１０のようになる。以下、各ステップに従って説明する。
●［ステップＳＬ０１］条件２を満たすか否か判断し、満たす場合（ＹＥＳの場合）にはステップＳＬ０２に移行し、満たさない場合（ＮＯの場合）にはステップＳＬ０５へ移行する。  
●［ステップＳＬ０２］実行した調整方法の指標Ａの値は４であるか否か判断し、指標Ａの値が４の場合（ＹＥＳの場合）にはステップＳＬ０３へ移行し、指標Ａの値が４ではない場合（ＮＯの場合）にはステップＳＬ０４へ移行する。  
●［ステップＳＬ０３］優先度［２］の設定項目の値を増やし、処理を終了する。  
●［ステップＳＬ０４］優先度［１］の設定項目の値を増やし、処理を終了する。  
●［ステップＳＬ０５］優先度［３］の設定項目の値を減らし、処理を終了する。
【００２４】
ここで、断線・短絡が発生しない状況で、加工速度（加工中）が加工速度（要求）より小さくなるということは、放電１パルスのパワーが十分に上がりきっていないためなので、これをさらに上げる必要がある。  
しかし、これまでの断線・短絡が発生する場合と同様に、いきなり放電１パルスのパワーを上げてしまうと、加工中の加工速度が上がりすぎてしまう可能性があるため、先ずは送り速度ゲインを増やすことで微調整を行う。  
さらに、加工速度（加工中）が加工速度（要求）の０．５倍より大きくなったら、放電１パルスの長さを縮めることで調整を行う。  
よって、表１のように送り速度ゲインが優先度［１］、放電１パルスのパワーが優先度［２］、放電１パルスの長さが優先度［３］となり、フローチャートは図１１のように表される。以下、各ステップに従って説明する。
●［ステップＳＭ０１］条件２を満たすか否か判断し、満たす場合（ＹＥＳの場合）にはステップＳＭ０２に移行し、満たさない場合（ＮＯの場合）にはステップＳＭ０５へ移行する。  
●［ステップＳＭ０２］実行した調整方法の指標Ａの値は４であるか否か判断し、指標Ａの値が４の場合（ＹＥＳの場合）にはステップＳＭ０３へ移行し、指標Ａの値が４ではない場合（ＮＯの場合）にはステップＳＭ０４へ移行する。  
●［ステップＳＭ０３］放電１パルスのパワーを増やし、処理を終了する。  
●［ステップＳＭ０４］送り速度ゲインを増やし、処理を終了する。  
●［ステップＳＭ０５］放電１パルスの長さを縮め、処理を終了する。
【００２５】
ここまでの例では、加工不良の状態として、断線、短絡、加工速度（加工中）＞加工速度（要求）、加工速度（加工中）＜加工速度(要求)を説明してきたが、他にも前記の加工不良を示す状態の組み合わせや加工電圧等の前記以外の加工不良を判別するための加工状態を追加することができる。  
また、加工不良を示す加工状態の種類毎に調整する加工条件の設定項目についても、ここまでの例で説明したサーボ電圧、放電１パルスの長さ、放電１パルスのパワー、送り速度ゲイン以外に、無負荷電圧、加工液量等の加工条件の設定項目を追加することができる。
【００２６】
図１２は本発明の実施形態を説明するブロック図である。  
要求加工状態記憶部１８は、試験加工において加工が良好となるために要求される加工状態を格納する。加工条件調整方法記憶部１２は、試験加工中に加工不良が発生した場合の加工条件の調整方法を記憶する。加工状態情報取得部２２は、加工状態の良否を判断するための複数の信号または物理量を試験加工中の加工状態情報として所定周期毎に取得する。加工状態判定部２０は、加工状態情報取得部２２で取得した加工中の加工状態と試験加工において加工が良好となるために要求される加工状態とを比較して試験加工の良否を判定する。加工条件調整部１４は、加工状態判定部２０が加工不良を示した場合、加工条件調整方法に基づいて、加工中の加工状態が試験加工において加工が良好となるために要求される加工状態に対して一致する、もしくは一定の許容範囲内に収まるように、試験加工用の加工条件を調整する。加工状態判定部が加工良好を示すまで、加工状態取得、加工状態判定、加工条件調整が繰り返し実行される。
【００２７】
要求加工状態記憶部１８には、あらかじめ作業者によって、断線・短絡の有無、目標加工速度等の試験加工において要求される加工状態が記憶されている。加工条件調整方法記憶部１２にも、あらかじめ作業者によって、試験加工中に加工不良が発生した場合の加工条件の調整方法が記憶されている。加工条件の調整方法は、加工不良を示す加工状態の種類毎に調整する加工条件の設定項目の優先度で表される。また、優先度を任意に変更でき、加工不良を示す加工状態の種類および調整する加工条件の設定項目を任意に追加することができる。これにより、様々な加工が良好となるために要求される加工状態に対して、調整方法を変更することで対応できる。
【００２８】
放電加工機１６による試験加工が開始すると、加工状態情報取得部２２は、加工中の加工状態を試験加工が終了する迄取得し続ける。加工状態判定部２０は、試験加工において加工が良好となるために要求される加工状態に対して加工状態情報取得部２２が取得した加工中の加工状態が一致する、もしくは一定の許容範囲内に収まる場合は加工良好、そうでない場合は加工不良と判定する。
【００２９】
加工状態判定部２０が試験加工について、加工不良を示した場合、加工条件調整方法に基づいて、加工中の加工状態が要求加工状態に対して一致する、もしくは一定の許容範囲内に収まるように加工条件の設定項目の値を調整する。調整された加工条件を使用して、試験加工を続ける。このように、加工条件の調整を繰り返すことで、最適な加工条件を得られる。
【００３０】
なお、加工条件調整方法記憶部１２は、加工不良の種別および調整される加工条件の設定項目を追加可能としてもよい。また、加工条件調整方法記憶部１２は、加工不良を解消するために加工条件の調整を行う加工不良の種別の優先度、加工不良の種別に応じて調整する加工条件の設定項目の優先度、設定項目の調整値を変更可能としてもよい。  
また、本実施形態では、放電装置から独立した外部装置として説明しているが、放電装置上に搭載することでも同様の効果を得られる。
【００３１】
本発明の実施形態により、放電加工機において、試験加工中に加工機から得られた加工状態により、加工の良否を判定し、加工中の加工状態および加工の良否判定をもとに、加工が不良な状態ならば加工条件を調整し、調整した加工条件を使用して加工が良好な状態になるまで、試験加工を自動的に繰り返すことで最良の加工条件を決定することができる。  
また、本発明の実施形態により、加工条件の調整を自動的に行うことができる。これにより、最適な加工条件が一つに決まるため、この加工条件を使用することで、加工結果に再現性のある最適な加工を行うことができる。また、加工条件の調整方法を変更することができるため、良好な加工を行うための新たな調整方法が分かった場合にも調整方法を容易に対応することができる。
【符号の説明】
【００３２】
１２  加工条件調整方法記憶部
１４  加工条件調整部
１６  放電加工機
１８  要求加工状態記憶部
２０  加工状態判定部
２２  加工状態情報取得部
【要約】      （修正有）【課題】加工状態の監視および加工中の加工条件を調整することで、最適な加工条件を決定する。【解決手段】加工状態の良否を判断するため複数の信号または物理量を取得する加工状態情報取得部２２と、信号または物理量の基準値を基準加工状態情報として記憶する要求加工状態記憶部１８と、加工状態情報取得部２２で取得した加工状態情報と基準加工状態情報とを比較して加工状態の良否および加工不良の種別を判定する加工状態判定部２０と、加工不良を解消するために実行される加工条件の調整方法として、加工条件の調整が実行される加工不良の種別の優先度、加工不良の種別に応じて調整する加工条件の設定項目の優先度、設定項目の調整値を記憶した加工条件調整方法記憶部１２と、加工状態判定部２０が加工不良と判定された場合、前記加工条件調整方法に基づき前記加工条件の設定項目を調整する加工条件調整部１４と、を有する。【選択図】図１２【図１】
0005199440.tif 000003
【図２】
0005199440.tif 000004
【図３】
0005199440.tif 000005
【図４】
0005199440.tif 000006
【図５】
0005199440.tif 000007
【図６】
0005199440.tif 000008
【図７】
0005199440.tif 000009
【図８】
0005199440.tif 000010
【図９】
0005199440.tif 000011
【図１０】
0005199440.tif 000012
【図１１】
0005199440.tif 000013
【図１２】
0005199440.tif 000014
【図１３】
0005199440.tif 000015
【図１４】
0005199440.tif 000016